(57)【要約】【課題】ユーザが一方を選択しようとして他方を選択してしまうことを抑制できる処理装置等を提供できる。【解決手段】予め定められた処理に関連付けられ選択されることでこの処理を行なうアイコンを表示する操作パネルにおける選択を受け付ける受付手段１１０と、選択が受け付けられたときに処理を実行する実行手段１２０と、操作パネルにおける画像の表示を制御する画像制御手段１３０と、を備え、画像制御手段１３０が、アイコンを含む第１の画像を表示するときに、アイコン上の少なくとも一部にバナー等の第２の画像を重ねて表示する重畳状態の場合と重畳状態でない場合とで、受付手段１１０は選択の受け付けの方法を変更する処理装置。【選択図】図４
2018045420.tif 000002
【特許請求の範囲】
【請求項１】
予め定められた処理に関連付けられ選択されることで当該処理を行なう処理選択部を表示する表示手段における当該選択を受け付ける受付手段と、
前記選択が受け付けられたときに前記処理を実行する実行手段と、
前記表示手段における画像の表示を制御する画像制御手段と、
を備え、
前記画像制御手段が、前記処理選択部を含む第１の画像を表示するときに、当該処理選択部上の一部に第２の画像が重なる重畳状態の場合と当該重畳状態でない場合とで、前記受付手段は前記選択の受け付けの方法を変更する処理装置。
【請求項２】
前記受付手段は、前記重畳状態の場合は予め定められた時間、ユーザの操作の受け付けを行なわず、当該重畳状態でない場合はユーザの操作の受け付けを行なうことを特徴とする請求項１に記載の処理装置。
【請求項３】
前記受付手段は、前記重畳状態の場合は前記第２の画像の表示を変更する動作を行なっている時間、ユーザの操作の受け付けを行なわないことを特徴とする請求項２に記載の処理装置。
【請求項４】
前記受付手段は、前記第２の画像がユーザの選択した前記処理選択部上の一部に重ねて表示されていた場合は、重なる箇所に位置する処理選択部については前記選択の受け付けを行なわず、重ねて表示されていない場合は当該選択の受け付けを行なうことを特徴とする請求項１に記載の処理装置。
【請求項５】
前記受付手段は、前記重畳状態の場合と当該重畳状態でない場合とで、前記選択を受け付けるときのユーザに要求する選択動作を変更することを特徴とする請求項１に記載の処理装置。
【請求項６】
前記受付手段は、前記重畳状態の場合は、前記選択の受け付けを行なったと判断される前記表示手段上の範囲を、当該重畳状態でない場合より狭くすることを特徴とする請求項５に記載の処理装置。
【請求項７】
前記受付手段は、前記重畳状態の場合は前記処理選択部を長押しすることで前記選択の受け付けを行ない、当該重畳状態でない場合は当該処理選択部をタッチすることで当該選択の受け付けを行なうことを特徴とする請求項５に記載の処理装置。
【請求項８】
前記画像制御手段は、前記処理選択部の中でユーザが処理に対し希望する設定を予め行なったときに作成されるものの一部に前記第２の画像が重なる場合に、前記受付手段は前記選択の受け付けの方法を変更することを特徴とする請求項１乃至７の何れか１項に記載の処理装置。
【請求項９】
記録媒体に画像を形成する画像形成部と、
予め定められた処理に関連付けられ選択されることで当該処理を行なう処理選択部を表示する表示手段と、
自装置の制御を行なう制御部と、
を備え、
前記制御部は、
前記選択を受け付ける受付手段と、
前記選択が受け付けられたときに、前記処理を実行する実行手段と、
前記表示手段における画像の表示を制御する画像制御手段と、
を備え、
前記画像制御手段が、前記処理選択部を含む第１の画像を表示するときに、当該処理選択部上の一部に第２の画像が重なる重畳状態の場合と当該重畳状態でない場合とで、前記受付手段は前記選択の受け付けの方法を変更する画像形成装置。
【発明の詳細な説明】
【技術分野】
【０００１】
本発明は、処理装置、画像形成装置に関する。
【背景技術】
【０００２】
処理装置の表示手段において、自装置で行なうことができる処理の一覧を画像として表示するときがある。そしてユーザはこの一覧の中から実行したい処理を選択する方法が一般的に用いられている。この一覧は、例えば、予め定められた処理に関連付けられたアイコン等の処理選択部を並べることにより構成され、ユーザは、例えば、アイコン等をタッチすることで実行したい処理の選択を行なう。
【０００３】
特許文献１には、通常画面において項目が配置されていた領域には、表示更新後の割込中画面において、別の項目を配置しない多機能周辺装置であり、例えば、通常画面において、印刷実行の処理が関連づけられた項目が配置されていた既定表示領域には、表示更新後の割込中画面において、いかなる項目も配置しないものが開示されている。
【先行技術文献】
【特許文献】
【０００４】
【特許文献１】特開２０１１−１８６６０５号公報
【発明の概要】
【発明が解決しようとする課題】
【０００５】
自装置で行なうことができる処理の一覧をアイコン等の処理選択部を含む画像（第１の画像）として表示するときに、この画像のみならず、ユーザに注意喚起を行なう等の目的で、他の画像（第２の画像）を重ねて表示することがある。そしてこのときユーザは、他の画像（第２の画像）を選択しようとして、アイコン等の処理選択部を選択してしまうときがある。また逆にユーザは、アイコン等の処理選択部を選択しようとして、他の画像（第２の画像）を選択してしまうときがある。即ち、ユーザは一方を選択しようとして他方を選択してしまうことがある。この場合、選択された処理選択部に関連付けられた処理が開始されてしまうときがあり、処理装置は、ユーザの意図しない動作を行なうことになる。
本発明は、ユーザが一方を選択しようとして他方を選択してしまうことを抑制できる処理装置等を提供することを目的とする。
【課題を解決するための手段】
【０００６】
請求項１に記載の発明は、予め定められた処理に関連付けられ選択されることで当該処理を行なう処理選択部を表示する表示手段における当該選択を受け付ける受付手段と、前記選択が受け付けられたときに前記処理を実行する実行手段と、前記表示手段における画像の表示を制御する画像制御手段と、を備え、前記画像制御手段が、前記処理選択部を含む第１の画像を表示するときに、当該処理選択部上の一部に第２の画像が重なる重畳状態の場合と当該重畳状態でない場合とで、前記受付手段は前記選択の受け付けの方法を変更する処理装置である。
請求項２に記載の発明は、前記受付手段は、前記重畳状態の場合は予め定められた時間、ユーザの操作の受け付けを行なわず、当該重畳状態でない場合はユーザの操作の受け付けを行なうことを特徴とする請求項１に記載の処理装置である。
請求項３に記載の発明は、前記受付手段は、前記重畳状態の場合は前記第２の画像の表示を変更する動作を行なっている時間、ユーザの操作の受け付けを行なわないことを特徴とする請求項２に記載の処理装置である。
請求項４に記載の発明は、前記受付手段は、前記第２の画像がユーザの選択した前記処理選択部上の一部に重ねて表示されていた場合は、重なる箇所に位置する処理選択部については前記選択の受け付けを行なわず、重ねて表示されていない場合は当該選択の受け付けを行なうことを特徴とする請求項１に記載の処理装置である。
請求項５に記載の発明は、前記受付手段は、前記重畳状態の場合と当該重畳状態でない場合とで、前記選択を受け付けるときのユーザに要求する選択動作を変更することを特徴とする請求項１に記載の処理装置である。
請求項６に記載の発明は、前記受付手段は、前記重畳状態の場合は、前記選択の受け付けを行なったと判断される前記表示手段上の範囲を、当該重畳状態でない場合より狭くすることを特徴とする請求項５に記載の処理装置である。
請求項７に記載の発明は、前記受付手段は、前記重畳状態の場合は前記処理選択部を長押しすることで前記選択の受け付けを行ない、当該重畳状態でない場合は当該処理選択部をタッチすることで当該選択の受け付けを行なうことを特徴とする請求項５に記載の処理装置である。
請求項８に記載の発明は、前記画像制御手段は、前記処理選択部の中でユーザが処理に対し希望する設定を予め行なったときに作成されるものの一部に前記第２の画像が重なる場合に、前記受付手段は前記選択の受け付けの方法を変更することを特徴とする請求項１乃至７の何れか１項に記載の処理装置である。
請求項９に記載の発明は、記録媒体に画像を形成する画像形成部と、予め定められた処理に関連付けられ選択されることで当該処理を行なう処理選択部を表示する表示手段と、自装置の制御を行なう制御部と、を備え、前記制御部は、前記選択を受け付ける受付手段と、前記選択が受け付けられたときに、前記処理を実行する実行手段と、前記表示手段における画像の表示を制御する画像制御手段と、を備え、前記画像制御手段が、前記処理選択部を含む第１の画像を表示するときに、当該処理選択部上の一部に第２の画像が重なる重畳状態の場合と当該重畳状態でない場合とで、前記受付手段は前記選択の受け付けの方法を変更する画像形成装置である。
【発明の効果】
【０００７】
請求項１の発明によれば、ユーザが一方を選択しようとして他方を選択してしまうことを抑制できる処理装置を提供できる。
請求項２の発明によれば、ユーザが意図しない操作を行ないやすいときに、ユーザの操作の受け付けを行なわないようにすることができる。
請求項３の発明によれば、ユーザが意図しない操作を行ないやすいときである第２の画像の表示を変更する動作を行なっているときに、ユーザの操作の受け付けを行なわないようにすることができる。
請求項４の発明によれば、ユーザが意図しない操作を行ないやすい位置にある処理選択部に対して、ユーザの選択の受け付けを行なわないようにすることができる。
請求項５の発明によれば、ユーザが処理選択部を選択する意図が明確な場合にユーザの選択を受け付けることができる。
請求項６の発明によれば、ユーザが処理選択部を選択する意図が明確な場合にユーザの選択を受け付けることができる。
請求項７の発明によれば、より容易に選択動作を変更することができる。
請求項８の発明によれば、特にユーザの意図しない動作を行ないやすい処理選択部に対して、対策を講じることができる。
請求項９の発明によれば、ユーザの意図しない動作を行なうことを抑制できる画像形成装置を提供できる。
【図面の簡単な説明】
【０００８】
【図１】画像形成装置のハードウェア構成例を示した図である。
【図２】操作パネルに表示される画像の一例を示した図である。
【図３】（ａ）〜（ｂ）は、図２で示すホーム画面（第１の画像）上にバナー（第２の画像）の表示を行なったときの一例を示した図である。
【図４】制御部の機能構成例を示したブロック図である。
【図５】第１の実施形態における制御部の動作について説明したフローチャートである。
【図６】第２の実施形態における制御部の動作について説明したフローチャートである。
【図７】アイコンを選択したと判断される画面上の範囲をより狭くする場合を示した図である。
【図８】第３の実施形態における制御部の動作について説明したフローチャートである。
【図９】第４の実施形態における制御部の動作について説明したフローチャートである。
【発明を実施するための形態】
【０００９】
＜画像形成装置の全体構成の説明＞
図１は、画像形成装置のハードウェア構成例を示した図である。
画像形成装置１０は、紙等の記録媒体に画像を形成し、印刷媒体として出力する装置である。画像形成装置１０は、プリンタ機能を備えるが、これに加えて例えば、スキャナ機能、ファクシミリ機能等の他の画像処理機能を備えている。
【００１０】
図示するように、画像形成装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読み取り部１６と、画像形成部１７と、通信Ｉ／Ｆ１８とを備える。そしてこれらがバスＢを介して必要なデータのやりとりを行なう。
【００１１】
ＣＰＵ１１は、ＲＯＭ１３等に記憶された各種プログラムをＲＡＭ１２にロードして実行することにより、後述する各機能を実現する。
【００１２】
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読み取り部１６が読み取った画像情報や画像形成部１７における画像形成にて用いる画像情報等を記憶する例えば磁気ディスク装置である。
操作パネル１５は、各種情報の表示やユーザからの操作入力の受付を行なう例えばタッチパネルである。
【００１３】
画像読み取り部１６は、原稿に記録された画像を読み取る。ここで、画像読み取り部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１４】
画像形成部１７は、記録媒体に画像を形成する印刷機構の一例である。ここで、画像形成部１７は、例えばプリンタであり、感光体に付着させたトナーを用紙等の記録媒体に転写して像を形成する電子写真方式や、インクを記録媒体上に吐出して像を形成するインクジェット方式のものを用いるとよい。
通信Ｉ／Ｆ１８は、ネットワークを介して他の装置との間で各種情報の送受信を行なう。
【００１５】
また本実施の形態では、ＣＰＵ１１、ＲＡＭ１２、ＲＯＭ１３、およびＨＤＤ１４で、自装置である画像形成装置１０の各機構部の制御を行なう制御部（処理装置）１００を構成する。
【００１６】
＜画像形成装置１０の動作の説明＞
このような画像形成装置１０を使用して、ユーザは、例えば、原稿のコピーを行なうことができる。即ち、画像読み取り部１６によって読み取られた原稿の画像情報を基に、画像形成部１７により画像を記録媒体上に形成することで原稿をコピーすることができる。またユーザは、画像形成装置１０に接続されたＬＡＮ（Local Area Network）等のネットワーク（図示せず）および通信Ｉ／Ｆ１８を介してＰＣ（Personal Computer）等の外部装置（図示せず）から印刷のジョブを画像形成装置１０に送信することでプリントを行なうことができる。即ち、印刷のジョブに含まれる画像情報を基に、画像形成部１７により画像を記録媒体上に形成することでプリントすることができる。さらにユーザは、ファクシミリの送受信を行なうことができる。即ち、画像読み取り部１６によって読み取られた原稿の画像情報をネットワークおよび通信Ｉ／Ｆ１８を介して送信できる。あるいはユーザは、原稿のスキャンを行なうことができる。即ち、画像読み取り部１６によって読み取られた原稿の画像情報をネットワークおよび通信Ｉ／Ｆ１８を介して外部装置に保存できる。
【００１７】
＜操作パネル１５の説明＞
次に操作パネル１５についてさらに詳しく説明を行なう。
操作パネル１５は、上述したように例えばタッチパネルである。操作パネル１５をタッチパネルにすることで、画像形成装置１０の画像形成条件などの各種情報はタッチパネルに表示される。そしてユーザは、タッチパネルをタッチすることで画像形成条件などの入力操作を行なう。
【００１８】
また操作パネル１５は、以下のように動作する。
図２は、操作パネル１５に表示される画像の一例を示した図である。
この場合、操作パネル１５には、画像形成装置１０が備える機能を実行するためのアイコンＩの一覧が画像として表示されている。この画像は、いわゆるホーム画面である。ホーム画面は、アイコンＩを含む第１の画像の一例である。またこのとき表示されているアイコンＩは、予め定められた処理に関連付けられ、選択されることで処理を行なう処理選択部の一例である。
【００１９】
図示する例では、操作パネル１５は、コピー、ファクス／インターネットファクス、スキャナ（メール送信）、ジョブフロー、どこでもプリント、らくらくファクス、スキャナ（ＰＣ保存）、スキャナ（ボックス保存）、ワンタッチコピー、ボックス操作、ジョブメモリ、デジカメプリントのそれぞれの機能を表すアイコンＩを表示し、これを一覧としている。
【００２０】
そしてユーザは、目的の機能を利用するためには、何れかのアイコンを選択する選択操作を行なう。
選択操作は、例えば、ユーザがアイコンＩをタッチする操作である。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、図示しないスタートボタン等を押下すると、実際のコピー動作が開始される。
即ち、操作パネル１５は、アイコン（処理選択部）Ｉを表示する表示手段として機能する。
【００２１】
また本実施の形態では、このうち「ワンタッチコピー」のアイコンＩは、ワンタッチアプリと言われるものとなっている。ワンタッチアプリは、ユーザが処理に対し希望する設定を予め行なったときに作成されるものである。つまりワンタッチアプリでは、ユーザが処理に対して希望する設定が既になされている。例えば、上述したコピーを行なう枚数、使用する用紙の選択等が既に設定されている。そのためユーザは「ワンタッチコピー」のアイコンＩをタッチすることで、迅速にこの処理を実行することができる。ワンタッチアプリを用意しておくことで、ユーザは、毎回複雑な設定を行う手間を省くことができる。なおワンタッチアプリには、アイコンＩをタッチすることで直ちにジョブが起動するもの（ダイレクト実行）と、確認画面を表示してユーザがスタートボタン等を押下することで処理が起動するもの（確認あり実行）がある。即ち、ユーザがワンタッチアプリのアイコンＩを選択したときには、関連付けられた処理が直ちに開始される可能性がある。
【００２２】
また操作パネル１５において、ユーザに対し、注意喚起を行なう場合、警告を行なう場合、案内を行なう場合など、このホーム画面（第１の画像）上に他の画像を重ねて表示する場合がある。この他の画像は、第２の画像の一例であり、例えば、バナーである。
【００２３】
図３（ａ）〜（ｂ）は、図２で示すホーム画面（第１の画像）上にバナー（第２の画像）の表示を行なったときの一例を示した図である。
図３（ａ）の例では、ホーム画面（第１の画像）の下端にバナーＶ（第２の画像）の表示がされた例を示している。なお本実施の形態では、ホーム画面等の第１の画像を表示するときに、アイコンＩ上の一部にバナーＶ等の第２の画像が重なる状態を、以後、「重畳状態」と言うことがある。
【００２４】
また本実施の形態では、ユーザへの警告として、「トナーの残量が少なくなっています。」のバナーＶが表示されている。そしてバナーＶは、いったんホーム画面の下端に表示された後、予め定められた時間の経過後に、表示を変更する動作が行われる。ここでは、バナーＶは、アニメーション動作を行ないつつ非表示になる。またバナーＶは、ユーザがバナーＶの内容を確認し、バナーＶをタッチするなどの確認操作を行なったときにも同様にアニメーション動作を行ないつつ非表示になる。
このときバナーＶは、図３（ａ）のようにホーム画面の下端に表示された後、ホーム画面の下方に向けスライドしつつ移動し、ホーム画面外に隠れるようなアニメーション動作を行なうことで非表示になる。図３（ｂ）は、アニメーション動作を行なっている最中の状態を示している。そして完全にホーム画面外に隠れると、図２の通常のホーム画面に戻る。
【００２５】
そして本実施の形態では、図３（ａ）のようにホーム画面の下端にバナーＶの表示を行なうと、ホーム画面に表示されているアイコンＩのうち最も下の列に配列するアイコンＩの一部が隠される。そしてアニメーション動作を行なっているときも同様に最も下の列に配列するアイコンＩの一部が隠されるときがある。
【００２６】
しかしながらこのようにアイコンＩの一部がバナーＶの表示により隠れた状態でも、上述したアイコンＩに対する選択操作は、従来は可能であった。そのためユーザがバナーＶに対し確認操作を行なうためにバナーＶをタッチしたときに、アニメーション動作によりそのタッチした場所にバナーＶが既に表示されていないときがある。そしてその箇所にアイコンＩが表示されていた場合、アイコンＩをタッチすることで選択操作をしたことになる。その結果、そのアイコンＩに関連付けられた処理が開始される。特にワンタッチアプリのアイコンＩに対して選択操作を行なったときには、上述したようにダイレクト動作によりその処理が直ちに実行されてしまう場合がある。即ち、画像形成装置１０は、ユーザの意図しない動作を行なう。
【００２７】
そこで本実施の形態では、バナーＶなどの第２の画像が表示されているときと、表示されていないときとで、選択操作を受け付ける方法を変更し、上記問題の抑制を図っている。
以下これを実現する制御部１００の構成について説明を行なう。
【００２８】
＜制御部１００の説明＞
図４は、制御部１００の機能構成例を示したブロック図である。なお図４では、制御部１００が有する種々の機能のうち本実施の形態に関係するものを選択して図示している。
図示するように本実施の形態の制御部１００は、受付手段１１０と、実行手段１２０と、画像制御手段１３０と、出力手段１４０とを備える。
【００２９】
受付手段１１０は、操作パネル１５からアイコンＩの選択を受け付ける。このとき受付手段１１０は、操作パネル１５からユーザの指等が操作パネル１５の何れの位置に接触しているかの座標情報を取得する。そして受付手段１１０は、この座標情報から何れのアイコンＩが選択されているかを検知する。また受付手段１１０は、ユーザの操作によりユーザの選択の受け付けをするか否かを決定する。即ち、受付手段１１０が取得した座標情報から、ユーザの操作がタッチ操作であるか、長押し操作であるかなどを判別し、このユーザの操作によりユーザの選択の受け付けをするか否かを決定する。またこのとき受付手段１１０は、ホーム画面等の第１の画像を表示するときに、アイコンＩ上の一部にバナーＶ等の第２の画像が重なる重畳状態の場合と重畳状態でない場合とで、選択の受け付けの方法を変更する。例えば、ユーザがアイコンＩをタッチする等の選択処理をしたときに、図２の場合（重畳状態の場合）と、図３の場合（重畳状態でない場合）とで、受け付けの方法を変更する。この事項についての詳しい説明は、後述する。
【００３０】
実行手段１２０は、受付手段１１０によりアイコンＩの選択が受け付けられたときに、このアイコンＩに関連付けられた処理を実行する。実際には、画像形成装置３０の各機構部に対し制御信号を出力し、各機構部を制御することでユーザの希望する処理を実現する。
例えば、スキャン処理の場合は、実行手段１２０は、画像読み取り部１６を制御し原稿の画像を読み取る読み取り処理を行なう。さらに実行手段１２０は、画像処理を行ない、画像処理後の画像情報を後述する出力手段１４０から出力する。また例えば、コピー処理の場合は、実行手段１２０は、画像読み取り部１６を制御し原稿の画像を読み取る読み取り処理を行なう。さらに実行手段１２０は、画像処理を行ない、画像処理後の画像情報を画像形成部１７に送り、画像形成部１７を制御して印刷を行なう。
【００３１】
画像制御手段１３０は、操作パネル１５における画像の表示を制御する。即ち、画像制御手段１３０は、図２や図３で説明したような画像の画像情報を作成する。そして後述する出力手段１４０から画像情報を出力する。これにより操作パネル１５では、図２や図３で説明したような画像が表示される。
【００３２】
出力手段１４０は、画像形成装置３０の各機構部に対し制御信号を出力する。また出力手段１４０は、画像情報を出力する必要があるときに、画像情報を出力する。
【００３３】
次に制御部１００の動作についてさらに詳しく説明を行なう。ここでは、制御部１００の動作を、第１の実施形態〜第４の実施形態に分けて説明を行なう。
【００３４】
［第１の実施形態］
第１の実施形態では、受付手段１１０は、重畳状態の場合は予め定められた時間、ユーザの操作の受け付けを行なわず、重畳状態でない場合はユーザの操作の受け付けを行なう。具体的には、受付手段１１０は、重畳状態の場合はバナーＶ等の第２の画像を非表示にする動作を行なっている時間、ユーザの操作の受け付けを行なわない。
つまり図３のように、アイコンＩ上にバナーＶ等の第２の画像を表示しているときは、受付手段１１０は、予め定められた時間、ユーザの操作の受け付けを行なわないようにする。
【００３５】
図５は、第１の実施形態における制御部１００の動作について説明したフローチャートである。
まず画像制御手段１３０が、アイコンＩを含むホーム画面（第１の画像）を操作パネル１５に表示する（ステップ１０１）。
【００３６】
次に画像制御手段１３０は、バナーＶ（第２の画像）を表示する必要があるか否かを判断する（ステップ１０２）。バナーＶは、上述のように、ユーザに対し、注意喚起、警告、案内等を行なう場合に表示される。
【００３７】
そしてバナーＶを表示する必要がない場合（ステップ１０２でＮｏ）、ステップ１０４に移行する。
対してバナーＶを表示する必要がある場合（ステップ１０２でＹｅｓ）、バナーＶをホーム画面上に表示する（ステップ１０３）。
【００３８】
次に受付手段１１０は、ユーザがアイコンＩをタッチしたか否かを判断する（ステップ１０４）。
【００３９】
そしてユーザがアイコンＩをタッチした場合（ステップ１０４でＹｅｓ）、実行手段１２０が、選択されたアイコンＩに関連付けられた処理を実行する（ステップ１０５）。
対してユーザがアイコンＩをタッチしていない場合（ステップ１０４でＮｏ）、画像制御手段１３０は、バナーＶを表示している状態であるか否かを判断する（ステップ１０６）。
【００４０】
そしてバナーＶを表示している状態でない場合（ステップ１０６でＮｏ）、ステップ１０２に戻る。
対してバナーＶを表示している状態であった場合（ステップ１０６でＹｅｓ）、画像制御手段１３０は、バナーＶを表示してから予め定められた時間が経過したか、またはユーザがバナーＶをタッチ（確認操作）したか否かを判断する（ステップ１０７）。
【００４１】
そして予め定められた時間が経過しておらず、かつユーザがバナーＶをタッチしていない場合（ステップ１０７でＮｏ）、ステップ１０４に戻る。
対して予め定められた時間が経過したか、またはユーザがバナーＶをタッチした場合（ステップ１０７でＹｅｓ）、画像制御手段１３０は、バナーＶを非表示とするためのアニメーション動作を開始する（ステップ１０８）。このとき画像制御手段１３０は、操作パネル１５上のバナーＶ以外の箇所に透明なフレームを表示する（ステップ１０９）。これにより透明なフレームが表示されている箇所にユーザがタッチ等を行なっても、その操作は無効となる。つまり受付手段１１０は、ユーザの操作の受け付けを行なわない状態となる。
【００４２】
次に画像制御手段１３０は、バナーＶが完全に非表示になったか否かを判断する（ステップ１１０）。
そしてバナーＶがまだ非表示となっていない場合（ステップ１１０でＮｏ）、ステップ１１０に戻る。
【００４３】
対してバナーＶが完全に非表示になった場合（ステップ１１０でＹｅｓ）、予め定められた時間（例えば、５００ｍｓ）、透明なフレームの表示を継続した後、透明なフレームを消去する（ステップ１１１）。これによりユーザの受け付けを行なえる状態に戻る。そしてステップ１０２に戻る。
【００４４】
第１の実施形態では、受付手段１１０は、バナーＶを非表示とするためアニメーション動作を行なっているときには、ユーザの受け付けを行なわない。つまり重畳状態の場合に、予め定められた時間、ユーザの操作の受け付けを行なわない場合が存在する。これにより特にユーザがバナーＶをタッチするつもりでアイコンＩをタッチしてしまうことが生じやすいアニメーション動作中において、ユーザの操作の受け付けを行なわないようにする。その結果、ユーザがバナーＶを選択しようとしてアイコンＩを選択してしまうことを抑制できる。即ち、ユーザが一方を選択しようとして他方を選択してしまうことを抑制できる。そして画像形成装置１０が、ユーザの意図しない動作を行なうことを抑制できる。
【００４５】
［第２の実施形態］
第２の実施形態では、受付手段１１０は、バナーＶ等の第２の画像がユーザの選択したアイコンＩ上の一部に重ねて表示されていた場合は、重なる箇所に位置するアイコンＩについては選択の受け付けを行なわず、重ねて表示されていない場合は選択の受け付けを行なう。
つまり図３のように、アイコンＩ上の一部にバナーＶ等の第２の画像を表示しているときは、受付手段１１０は、ユーザの操作の受け付けを行なわないようにする。
【００４６】
バナーＶがユーザの選択したアイコンＩ上の一部に重ねて表示されているか否かは、操作パネル１５上におけるアイコンＩやバナーＶの位置する座標により判断できる。例えば、操作パネル１５がＸ（横）方向８００画素×Ｙ（縦）方向４８０画素の解像度であるとする。この場合、操作パネル１５の各画素の位置は、（Ｘ、Ｙ）の座標（１≦Ｘ≦８００、１≦Ｙ≦４８０）として表すことができる。またアイコンＩは、Ｘ（横）方向１９０画素×Ｙ（縦）方向１９０画素の大きさであり、バナーＶは、Ｘ（横）方向８００画素×Ｙ（縦）方向８０画素の大きさを有するとする。そして図３（ａ）のように操作パネル１５の下端にバナーＶの表示がされた場合、バナーＶは、操作パネル１５上で、１≦Ｘ≦８００、１≦Ｙ≦８０の矩形領域に表示される。このとき操作パネル１５上で、アイコンＩの下端のＹ座標が８１以上であれば、バナーＶがアイコンＩ上に重ねて表示されることはない。一方、アイコンＩの下端のＹ座標が８０以下であれば、重ねて表示（この場合、アイコンＩとバナーＶとが接する場合も含む）されると判断できる。
【００４７】
図６は、第２の実施形態における制御部１００の動作について説明したフローチャートである。
図６においてステップ２０１〜ステップ２０３は、図５のステップ１０１〜ステップ１０３と同様であるので、説明を省略する。
ステップ２０４以降の処理は、以下のようになる。
【００４８】
受付手段１１０は、ユーザがアイコンＩをタッチしたか否かを判断する（ステップ２０４）。
【００４９】
そしてユーザがアイコンＩをタッチした場合（ステップ２０４でＹｅｓ）、受付手段１１０は、選択されたアイコンＩがワンタッチアプリであったか否かを判断する（ステップ２０５）。
【００５０】
そしてワンタッチアプリでなかった場合（ステップ２０５でＮｏ）、実行手段１２０が、選択されたアイコンＩに関連付けられた処理を実行する（ステップ２０６）。
対してワンタッチアプリであった場合（ステップ２０５でＹｅｓ）、受付手段１１０は、タッチしたアイコンＩが、バナーＶにより隠されず、全て見える状態であるか否かを判断する（ステップ２０７）。
【００５１】
そしてタッチしたアイコンＩが、全て見える状態であった場合（ステップ２０７でＹｅｓ）、ステップ２０６に移行し、実行手段１２０が、そのワンタッチアプリを実行する。
対してタッチしたアイコンＩが、一部がバナーＶにより隠され、全て見える状態でなかった場合（ステップ２０７でＮｏ）、受付手段１１０は、選択の受け付けを行なわず、そのワンタッチアプリは実行されない（ステップ２０８）。そして画像制御手段１３０は、選択されたアイコンＩが全て見えるように画像をスクロールさせる（ステップ２０９）。以後、ステップ２０４に戻る。
【００５２】
またステップ２０４でユーザがアイコンＩをタッチしていない場合（ステップ２０４でＮｏ）、画像制御手段１３０は、バナーＶを表示している状態であるか否かを判断する（ステップ２１０）。
【００５３】
そしてバナーＶを表示している状態でない場合（ステップ２１０でＮｏ）、ステップ２０２に戻る。
対してバナーＶを表示している状態であった場合（ステップ２１０でＹｅｓ）、画像制御手段１３０は、バナーＶを表示してから予め定められた時間が経過したか、またはユーザがバナーＶをタッチ（確認操作）したか否かを判断する（ステップ２１１）。
【００５４】
そして予め定められた時間が経過しておらず、かつユーザがバナーＶをタッチしていない場合（ステップ２１１でＮｏ）、ステップ２０４に戻る。
対して予め定められた時間が経過したか、またはユーザがバナーＶをタッチした場合（ステップ２１１でＹｅｓ）、画像制御手段１３０は、バナーＶを非表示とする（ステップ２１２）。以後は、ステップ２０２に戻る。
【００５５】
第２の実施形態では、受付手段１１０は、バナーＶがユーザの選択したアイコンＩ上の一部に重ねて表示されていた場合は選択の受け付けを行なわない。これによりユーザがバナーＶを選択しようとしてアイコンＩを選択してしまうことを抑制でき、画像形成装置１０が、ユーザの意図しない動作を行なうことを抑制できる。
【００５６】
［第３の実施形態］
第３の実施形態では、受付手段１１０は、重畳状態の場合と重畳状態でない場合とで、選択を受け付けるときのユーザに要求する選択動作を変更する。具体的には、受付手段１１０は、重畳状態の場合は、選択の受け付けを行なったと判断されるアイコンＩ上の範囲を、重畳状態でない場合より狭くする。
【００５７】
つまり図３のように、バナーＶ等の第２の画像を表示しているときは、受付手段１１０は、アイコンＩを選択したと判断される画面上の範囲をより狭くする。これによりバナーＶ等を表示しているときは、受付手段１１０は、ユーザに対し選択操作としてアイコンＩ上のより狭い範囲をタッチすることを要求する。
【００５８】
図７は、アイコンＩを選択したと判断される画面上の範囲をより狭くする場合を示した図である。
図で点線の範囲は、アイコンＩを選択したと判断される画面上の範囲をより狭くする前の状態を示しており、ユーザは、点線の範囲内であれば、何れをタッチしても選択の受け付けを行なう。この場合、アイコンＩの画像を表示する箇所およびその下のアイコン名の箇所を含む範囲が選択の受け付けを行なう範囲となる。
一方、太線の範囲は、アイコンＩを選択したと判断される画面上の範囲をより狭くしたときを示しており、ここではアイコンＩの画像を表示する範囲としている。つまりユーザは、太線の範囲内をタッチしないと、選択が受け付けられない。
【００５９】
図８は、第３の実施形態における制御部１００の動作について説明したフローチャートである。
図８においてステップ３０１〜ステップ３０６は、図６のステップ２０１〜ステップ２０６と同様であるので、説明を省略する。
ステップ３０７以降の処理は、以下のようになる。
【００６０】
選択されたアイコンＩがワンタッチアプリであった場合（ステップ３０５でＹｅｓ）、受付手段１１０は、選択の受け付けを行なったと判断されるアイコンＩ上の範囲を、重畳状態でない場合より狭くする（ステップ３０７）。
【００６１】
そして受付手段１１０は、ユーザがタッチした箇所が、狭くした後の範囲に入っているか否かを判断する（ステップ３０８）。
【００６２】
その結果、入っていた場合（ステップ３０８でＹｅｓ）、ステップ３０６に移行し、実行手段１２０が、そのワンタッチアプリを実行する。
対して入っていなかった場合（ステップ３０８でＮｏ）、受付手段１１０は、選択の受け付けを行なわず、そのワンタッチアプリは実行されない（ステップ３０９）。以後、ステップ３０４に戻る。
【００６３】
またステップ３１０〜ステップ３１２は、図６のステップ２１０〜ステップ２１２と同様であるので、説明を省略する。
【００６４】
第３の実施形態では、受付手段１１０が、重畳状態の場合は、選択の受け付けを行なったと判断されるアイコンＩ上の範囲を、重畳状態でない場合より狭くすることで、ユーザがバナーＶを選択しようとしてアイコンＩを選択してしまうことを抑制できる。そして画像形成装置１０が、ユーザの意図しない動作を行なうことを抑制できる。
【００６５】
［第４の実施形態］
第４の実施形態では、第３の実施形態と同様に、受付手段１１０は、重畳状態の場合と重畳状態でない場合とで、選択を受け付けるときのユーザに要求する選択動作を変更する。だだし受付手段１１０は、重畳状態の場合はアイコンＩを長押しすることで選択の受け付けを行ない、重畳状態でない場合はアイコンＩをタッチすることで選択の受け付けを行なう。ユーザがアイコンＩを長押ししたか、タッチしたかは、ユーザの指が操作パネル１５に接触した時間により判断できる。つまりユーザの指等が操作パネル１５に接触してから離れるまでの時間が、予め定められた時間（例えば、１ｓ）以上であれば、長押しであり、接触した時間が、この時間未満であれば、タッチであると判断できる。
【００６６】
つまり図３のように、バナーＶ等の第２の画像を表示しているときは、受付手段１１０は、アイコンＩを長押ししたときに選択の受け付けを行なう。これにより、バナーＶ等の第２の画像を表示しているときは、受付手段１１０は、ユーザに対し選択操作としてアイコンＩを長押しすることを要求する。
【００６７】
図９は、第４の実施形態における制御部１００の動作について説明したフローチャートである。
図９においてステップ４０１〜ステップ４０６は、図６のステップ２０１〜ステップ２０６と同様であるので、説明を省略する。
ステップ４０７以降の処理は、以下のようになる。
【００６８】
選択されたアイコンＩがワンタッチアプリであった場合（ステップ４０５でＹｅｓ）、受付手段１１０は、ユーザがアイコンＩを長押ししたか否かを判断する（ステップ４０７）。
【００６９】
その結果、ユーザがアイコンＩを長押ししていた場合（ステップ４０７でＹｅｓ）、ステップ４０６に移行し、実行手段１２０が、そのワンタッチアプリを実行する。
対してユーザがアイコンＩを長押ししていなかった（タッチした）場合（ステップ４０７でＮｏ）、受付手段１１０は、選択の受け付けを行なわず、そのワンタッチアプリは実行されない（ステップ４０８）。以後、ステップ４０４に戻る。
【００７０】
またステップ４０９〜ステップ４１１は、図６のステップ２１０〜ステップ２１２と同様であるので、説明を省略する。
【００７１】
第４の実施形態では、受付手段１１０が、重畳状態の場合は、長押ししないと選択が受け付けられないとすることで、ユーザがバナーＶを選択しようとしてアイコンＩを選択してしまうことを抑制できる。そして画像形成装置１０が、ユーザの意図しない動作を行なうことを抑制できる。
【００７２】
なお上述した例では、処理装置として画像形成装置１０を例に取り説明を行なったがこれに限るものではない。即ち、表示手段をタッチ等することで入力を行なう装置であれば、本実施の形態の適用が可能である。例えば、アプリケーションソフトウェアのアイコンを並べて表示する携帯電話、スマートフォン、タブレットのような機器に対しても適用できる。
【００７３】
また上述した例では、ユーザがバナーＶ（第２の画像）を選択しようとしてアイコンＩ（処理選択部）を選択してしまう場合について説明したが、逆の場合もあり得る。つまりユーザがアイコンＩ（処理選択部）を選択しようとしてバナーＶ（第２の画像）を選択してしまう場合である。そしてこの場合も本実施の形態が適用できることはもちろんである。この場合、ユーザがアイコンＩ（処理選択部）を選択しようとしてバナーＶ（第２の画像）を選択することを抑制できる。即ち、ユーザが一方を選択しようとして他方を選択してしまうことを抑制できる。そして画像形成装置１０が、ユーザの意図しない動作を行なうことを抑制できる。
【００７４】
また上述した例では、第１の画像はホーム画面であったがこれに限られるものではないことはもちろんである。そして上述した例では、第２の画像は、バナーＶの画像であったが、これに限られるものではなく、例えば、ポップアップの画像などであってもよい。
【００７５】
さらに上述した第２の実施形態〜第４の実施形態では、ワンタッチアプリのアイコンＩとバナーＶ等の第２の画像とが重畳状態になったときに選択の受け付けの方法を変更する処理を行なっていたが、これに限られるものではない。即ち、ワンタッチアプリでないアイコンＩとバナーＶ等の第２の画像とが重畳状態になったときに選択の受け付けの方法を変更する処理を行なってもよい。
【符号の説明】
【００７６】
１０…画像形成装置、１５…操作パネル、１００…制御部、１１０…受付手段、１２０…実行手段、１３０…画像制御手段、１４０…出力手段
【図１】
2018045420.tif 000003
【図２】
2018045420.tif 000004
【図３】
2018045420.tif 000005
【図４】
2018045420.tif 000006
【図５】
2018045420.tif 000007
【図６】
2018045420.tif 000008
【図７】
2018045420.tif 000009
【図８】
2018045420.tif 000010
【図９】
2018045420.tif 000011